(57)【要約】      （修正有）【課題】ねじを使用せずに迅速に組み立てられるメガネの蝶番構造を提供する。【解決手段】リム１０両側にそれぞれ突出部２０を設け、該突出部２０には挿入縁部２０２を形成する開口２０１を設ける。軸柱体３０には主に嵌着溝３０１を設け、リム１０の突出部２０の挿入縁部２０２を挿入して結合させ定位状態を形成する。また、テンプル４０の前端には弾性を備えた複数の結合アーム４０１を設け、各結合アーム４０１の前端は屈曲し、軸柱体３０の対応する接触面と結合し合う結合爪４０２を形成する。そのうち、各結合アーム４０１前端の結合爪４０２はそれぞれ異なる方向に屈曲し、各結合爪４０２は軸柱体３０に対する挟持を行い、それと同時にリム１０の突出部２０の挿入縁部２０２を共に挟持する。尚、突出部２０の開口２０１は、テンプル４０の各結合アーム４０１の結合爪４０２をその間で動作させるため、ねじや工具を必要としない。【選択図】図１
0003180928.tif 000002
【実用新案登録請求の範囲】
【請求項１】
リム両側にはそれぞれ突出部を設け、該突出部には挿入縁部を形成する開口を設け、軸柱体には主に嵌着溝を設け、リムの突出部の挿入縁部を挿入して結合させ定位状態を形成し、テンプルの前端には弾性を備えた複数の結合アームを設け、
各結合アームの前端は屈曲し、軸柱体の対応する接触面と結合し合う結合爪を形成し、各結合アーム前端の結合爪はそれぞれ異なる方向に屈曲し、各結合爪は軸柱体に対して異なる方向の挟持を行い、
それと同時に軸柱体の嵌着溝に挿入する突出部の挿入縁部を共に挟持するため、挿入縁部は軸柱体の嵌着溝内に定位されて移動できなくなり、また、突出部の開口によって、テンプルの各結合アームの結合爪はその間で動作し、
テンプルを動作させると、各結合アームと結合爪も連動して動作し、結合アームと結合爪の弾性特性が軸柱体の外表面角度の変化に応じて、僅かに開きそして戻って定位して軸柱体を安定状態で挟持することを特徴とするメガネの蝶番構造。
【請求項２】
リムの両側の上下それぞれには鈎体を備えた鈎状アームを設け、軸柱体は主に、リムの両側の各鈎状アームの鈎体を挿入して引き掛けて結合した後に開口を形成するための貫通する嵌着溝を設け、
また、テンプルの前端には弾性を備えた複数の結合アームを設け、各結合アームの前端は屈曲し、軸柱体の対応する接触面と結合し合う結合爪を形成し、
そのうち、テンプルの結合アームと結合爪の設置数量は少なくとも二つ以上であり、並びに、各結合アーム前端の結合爪はそれぞれ異なる方向に屈曲するため、
各結合爪は軸柱体に対して異なる方向の挟持を行い、テンプルを屈曲して動作する時、リムの鈎状アームの鈎体と軸柱体とを結合して形成される開口によって各結合アームの結合爪をその間で動作させることを特徴とするメガネの蝶番構造。
【請求項３】
前記軸柱体は、多角形柱体、円形柱体、多角形柱と円形柱結合体の柱体、或いは異なる形態の多角形柱結合体の柱体のいずれかとすることを特徴とする請求項１或いは２に記載のメガネの蝶番構造。
【請求項４】
前記テンプルの結合アームと結合爪の設置数量は少なくとも二つ以上であることを特徴とする請求項１或いは２に記載のメガネの蝶番構造。
【考案の詳細な説明】
【技術分野】
【０００１】
本考案は、メガネの蝶番構造の技術分野に属する。
【背景技術】
【０００２】
現代の日常生活において、多くの人がメガネを使用する習慣がある。一般の近視用メガネ、遠視用メガネ、年配者の使用する老眼鏡、或いは外出時に使用するサングラス等、一般社会では異なる目的に応じてメガネを使用し、眼の保護や視力改善効果を達成している。
【０００３】
一般のメガネはテンプルとフロント間の連結には、伝統的な蝶番構造で二つを結合して可動関節を形成している。
その蝶番は主にねじを軸としたものであるが、テンプルを何度も折り曲げるうちに軸となるねじが抜け落ちることが発生し、この場合はドライバーでねじを再固定する必要がある。
また、ねじが完全に抜け落ちて紛失してしまった場合には、メガネを組み立てられないため、メガネの使用の便利性に影響を及ぼす。
【考案の概要】
【考案が解決しようとする課題】
【０００４】
前記欠点に改善を加えるべく、考案者は業界での長年の経験に基づき思考と研究を重ね、メガネの蝶番ねじの抜け落ちの問題を改善しようと試みた多くの実験と研究によって、ねじを使用せずに迅速に組み立てられる構造を生み出した。
【課題を解決するための手段】
【０００５】
本考案は、リム両側にそれぞれ突出部を設け、尚且つ挿入縁部２０２を形成する開口を設けて、挿入縁部を軸柱体の嵌着溝に挿入して結合させ、テンプルの各結合アームの結合爪を開口間で動作させ、ねじや工具を使用せず迅速に組み立てられるメガネの蝶番構造の提供を主な目的とする。
【考案の効果】
【０００６】
本考案のメガネの蝶番構造は、ねじや工具を使用せずに迅速に組み立てられる効果を有する。
【図面の簡単な説明】
【０００７】
【図１】本考案メガネの蝶番構造の分解組み立て立体図である。
【図２】本考案メガネの蝶番構造の立体図である。
【図３】本考案メガネの蝶番構造の軸柱体の別の実施例（1）である。
【図４】本考案メガネの蝶番構造の軸柱体の別の実施例（2）である。
【図５】本考案メガネの蝶番構造の別の実施例の組み立て立体図である。
【図６】本考案メガネの蝶番構造の別の実施例の軸柱体の立体図である。
【考案を実施するための形態】
【実施例】
【０００８】
図１は本考案メガネの蝶番構造の分解組み立て立体図である。図に示すとおり（図２も併せて参照）これは主に以下の構成要素を含む。
【０００９】
リム１０両側にはそれぞれ突出部２０を設ける。突出部２０には挿入縁部２０２を形成する開口２０１を設ける。
【００１０】
軸柱体３０は多角形柱体、円形柱体としてもよく、主に嵌着溝３０１を設け、リム１０の突出部２０の挿入縁部２０２を挿入して結合させ定位状態を形成する。
【００１１】
テンプル４０の前端には弾性を備えた複数の結合アーム４０１を設け、各結合アーム４０１の前端は屈曲し、軸柱体３０の対応する接触面と結合し合う結合爪４０２を形成する。
【００１２】
そのうち、テンプル４０の結合アーム４０１と結合爪４０２の設置数量は少なくとも二つ以上である。
【００１３】
また、各結合アーム４０１前端の結合爪４０２はそれぞれ異なる方向に屈曲する。これにより、各結合爪４０２は軸柱体３０に対して異なる方向の挟持を行う。
それと同時に軸柱体３０の嵌着溝３０１に挿入する突出部２０の挿入縁部２０２を共に挟持するため、挿入縁部２０２は軸柱体３０の嵌着溝３０１内に定位され移動できない。
また、突出部２０の開口２０１によって、テンプル４０の各結合アーム４０１の結合爪４０２はその間で動作し、テンプル４０を動作させると、各結合アーム４０１と結合爪４０２も連動して動作する。
結合アーム４０１と結合爪４０２の弾性特性が軸柱体３０の外表面角度の変化に応じて、僅かに開きそして戻って定位して軸柱体３０を安定状態で挟持し、これにより、ねじや工具を必要とせずに迅速な組み立てが行えるメガネの蝶番構造が形成される。
【００１４】
図３は本考案メガネの蝶番構造の軸柱体の別の実施例（1）である。
図に示すとおり、軸柱体３０は多角形柱と円形柱結合体の柱体であり、主に、リム１０の突出部２０の挿入縁部２０２を挿入することで結合し定位させるための嵌着溝３０１を設ける（図１及び図２参照）。
【００１５】
図４は本考案メガネの蝶番構造の軸柱体の別の実施例（2）である。
図に示すとおり、軸柱体３０は異なる形態の多角形柱結合体の柱体であり、主に、リム１０の突出部２０の挿入縁部２０２を挿入することで結合し定位させるための嵌着溝３０１を設ける（図１及び図２参照）。
【００１６】
図５は本考案メガネの蝶番構造の別の実施例の組み立て立体図である。図に示すとおり、リム１０の両側の上下それぞれには鈎体２０ｂを備えた鈎状アーム２０ａを設ける。
【００１７】
軸柱体３０は多角形柱体、円形柱体であり（図６参照）、主に、リム１０の両側の各鈎状アーム２０ａの鈎体２０ｂを挿入して引き掛けて結合した後に開口５０を形成するための貫通する嵌着溝３０１を設ける。
【００１８】
また、テンプル４０の前端には弾性を備えた複数の結合アーム４０１を設け、各結合アーム４０１の前端は屈曲し、軸柱体３０の対応する接触面と結合し合う結合爪４０２を形成する。
【００１９】
そのうち、テンプル４０の結合アーム４０１と結合爪４０２の設置数量は少なくとも二つ以上である。
【００２０】
また、各結合アーム４０１前端の結合爪４０２はそれぞれ異なる方向に屈曲する。
これにより、各結合爪４０２は軸柱体３０に対して異なる方向の挟持を行う。
また、テンプル４０を屈曲して動作する時、リム１０の鈎状アーム２０ａの鈎体２０ｂと軸柱体３０とを結合して形成される開口５０によって各結合アーム４０１の結合爪４０２をその間で動作させる。
【００２１】
前述した通り、本考案は予定する効果を確実に達成し、公開使用されている例はなく、実用新案の実用性、新規性の要件に符合するものである。
よってここに実用新案の出願を貴庁に提出する。貴庁の審査官の方には本考案の許可の早期実現をここにお願い申し上げる次第である。
【符号の説明】
【００２２】
１０    リム
２０    突出部
２０ａ  鈎状アーム
２０ｂ  鈎体
２０１  開口
２０２  挿入縁部
３０    軸柱体
３０１  嵌着溝
４０    テンプル
４０１  結合アーム
４０２  結合爪
５０    開口
【図１】
0003180928.tif 000003
【図２】
0003180928.tif 000004
【図３】
0003180928.tif 000005
【図４】
0003180928.tif 000006
【図５】
0003180928.tif 000007
【図６】
0003180928.tif 000008